(57)【要約】【課題】動画像を再生しながら、簡単な操作で容易に所望の画面を選択可能とする。【解決手段】本発明では、動画像の再生中に第１の指示があると、この第１の指示に対応した位置の所定期間前の位置より自動的にスロー再生を開始し、スロー再生中に第２の指示があると、この第２の指示に対応した画面を静止画として抽出する。【選択図】      図１
2004220679.tif 000002
【特許請求の範囲】
【請求項１】
記録媒体から動画像信号を再生する再生手段と、
指示手段と、
前記動画像信号の再生中の前記指示手段による指示に応じて、前記指示に対応した第１の画面の所定期間前の第２の画面より通常再生速度よりも遅い速度で前記動画像信号を再生するよう前記再生手段を制御する制御手段とを備える再生装置。
【請求項２】
前記動画像信号の中から所望の画面を指定する指定手段を備え、
前記制御手段は、前記遅い速度での動画像信号の再生中に前記指定手段により指定された画面の画像信号を静止画像信号として抽出することを特徴とする請求項１記載の再生装置。
【請求項３】
外部装置に対して画像信号を出力する出力手段を備え、前記制御手段は前記抽出した静止画像信号を出力するよう前記出力手段を制御することを特徴とする請求項２記載の再生装置。
【請求項４】
前記外部装置はプリンタを含むことを特徴とする請求項３記載の再生装置。
【請求項５】
前記制御手段は、前記第２の画面から前記第１の画面まで前記動画像信号を再生するまでの間に前記指定手段による画面指定がなされなかった場合、再び前記第２の画面より前記動画像信号の再生を開始することを特徴とする請求項２記載の再生装置。
【請求項６】
前記制御手段は所定回数前記第２の画面から前記第１の画面までの動画像信号の再生を繰り返した場合、前記動画像信号の再生を停止するよう前記再生手段を制御することを特徴とする請求項５記載の再生装置。
【請求項７】
前記制御手段は、前記指定手段の指定動作に応じて前記動画像の再生を一時停止するよう前記再生手段を制御することを特徴とする請求項２記載の再生装置。
【請求項８】
画像信号を記憶装置に記録する記録手段を備え、前記制御手段は前記抽出した静止画像信号を前記記憶装置に記録するよう前記記録手段を制御することを特徴とする請求項２記載の再生装置。
【請求項９】
前記記録手段は前記静止画像信号を前記動画像信号とは異なる方式で符号化する符号化手段を含むことを特徴とする請求項８記載の再生装置。
【請求項１０】
前記制御手段は前記通常再生速度での動画像信号の再生中における前記指示手段の指示に従い前記第１の画面を決定することを特徴とする請求項１記載の再生装置。
【請求項１１】
前記制御手段は、それぞれ前記通常再生速度よりも遅い複数の所定の速度のうちから選択した速度で前記第２の画面より前記動画像信号を再生するよう前記再生手段を制御することを特徴とする請求項１記載の再生装置。
【請求項１２】
前記制御手段は、前記指示手段の指示に応じて前記複数の所定の速度のうち最も速い速度を選択することを特徴とする請求項１１記載の再生装置。
【請求項１３】
前記制御手段は、前記第２の画面からの動画像信号の再生中に速度切り替え指示があった場合、前記複数の所定の速度のうち現在選択している速度よりも遅い速度で再生するよう前記再生手段を制御することを特徴とする請求項１１または１２記載の再生装置。
【請求項１４】
前記制御手段は、前記速度切り替え指示に応じて、再び前記第２の画面より前記動画像信号を再生するよう前記再生手段を制御することを特徴とする請求項１３記載の再生装置。
【請求項１５】
前記制御手段は、前記第１の画面までの期間が互いに異なる複数の所定の画面の中から前記第２の画面を選択することを特徴とする請求項１記載の再生装置。
【請求項１６】
前記制御手段は、前記指示手段の指示に応じて、前記複数の所定の画面のうち前記第１の画面からの期間が最も長い画面を前記第２の画面として選択することを特徴とする請求項１５記載の再生装置。
【請求項１７】
前記制御手段は、前記第２の画面からの動画像信号の再生中に切り替え指示があった場合、前記複数の所定の画面のうち現在選択している第２の画面よりも前記第１の画面までの期間がより短い画面を前記第２の画面として新たに選択し、この新たに選択した第２の画面より再び前記動画像信号を再生するよう前記再生手段を制御することを特徴とする請求項１５または１６記載の再生装置。
【請求項１８】
前記指示手段は前記外部装置より指示コマンドを入力する入力手段を含むことを特徴とする請求項１記載の再生装置。
【請求項１９】
再生装置により再生した動画像信号中の一画面を静止画像信号として印刷装置に送信し、印刷装置によりこの一画面の静止画像信号が示す静止画像を印刷するシステムであって、
前記再生装置は、前記動画像信号の再生中における第１の指示に応じて、この第１の指示に対応した画面の所定期間前の画面から通常再生速度よりも遅い速度にて前記動画像信号を再生すると共に、前記遅い速度での動画像信号の再生中における第２の指示に応じて動画像信号中の一画面の画像信号を選択し、前記静止画像信号として前記印刷装置に送信することを特徴とする画像処理システム。
【請求項２０】
前記第１の指示と前記第２の指示は、共に前記印刷装置より送信されることを特徴とする請求項１９記載の画像処理システム。
【請求項２１】
記録媒体より再生した動画像信号中の一画面を静止画像信号として抽出して記憶デバイスに記憶する装置であって、
前記動画像信号の再生中における第１の指示に応じて、この第１の指示に対応した画面の所定期間前の画面から通常再生速度よりも遅い速度にて前記動画像信号を再生すると共に、前記遅い速度での動画像信号の再生中における第２の指示に応じて動画像信号中の一画面の画像信号を選択し、前記静止画像信号として前記記憶デバイスに記憶することを特徴とする画像処理装置。
【請求項２２】
記録媒体から動画像信号を再生する再生ステップと、
前記動画像信号の再生中の指示手段による指示に応じて、前記指示に対応した第１の画面の所定期間前の第２の画面より通常再生速度よりも遅い速度で前記動画像信号を再生するよう前記再生ステップを制御する制御ステップとを有する再生方法。
【請求項２３】
記録媒体より再生した動画像信号中の一画面を静止画像信号として抽出して記憶デバイスに記憶する方法であって、
前記動画像信号の再生中における第１の指示に応じて、この第１の指示に対応した画面の所定期間前の画面から通常再生速度よりも遅い速度にて前記動画像信号を再生すると共に、前記遅い速度での動画像信号の再生中における第２の指示に応じて動画像信号中の一画面の画像信号を選択し、前記静止画像信号として前記記憶デバイスに記憶することを特徴とする画像処理方法。
【請求項２４】
請求項２２及び２３に記載の方法をコンピュータを用いて実行するためのプログラムを記憶した記憶媒体。
【発明の詳細な説明】
【０００１】
【発明の属する技術分野】
本発明は再生装置に関し、特に動画像の再生動作の制御に関する。
【０００２】
【従来の技術】
従来、ＶＴＲなどで再生した動画像の中の一画面を選択して印刷するビデオプリンタが知られている。
【０００３】
この様なビデオプリンタを用いてプリントを行う場合、ユーザは、ＶＴＲを操作して動画像を再生し、再生された動画像を確認しながら所望の画面が再生された時点で動画像の再生を一時停止して、静止画像信号をケーブルなどを介してプリンタに送信し、印刷する。
【０００４】
この種のビデオプリンタシステムが、特開平６−２４５１７９号公報に開示されている。
【０００５】
【特許文献１】
特開平６−２４５１７９号公報
【０００６】
【発明が解決しようとする課題】
しかし、前述の様に動画像を確認しながら所望の画面にて一時停止することは困難であり、通常は、巻き戻しや早送り、再生、一時停止などの操作を繰り返して所望の画面を探し、選択しなければならない。
【０００７】
この様な操作は、機械操作に不慣れなユーザにとっては非常に困難な作業であり、また、所望の画面を選択するために非常に時間がかかってしまう。
【０００８】
本発明はこの様な問題を解決することを目的とする。
【０００９】
本発明の他の目的は、動画像を再生しながら、簡単な操作で容易に所望の画面を選択可能とする処にある。
【００１０】
【課題を解決するための手段】
前述の如き課題を解決するため、本発明においては、記録媒体から動画像信号を再生する再生手段と、指示手段と、前記動画像信号の再生中の前記指示手段による指示に応じて、前記指示に対応した第１の画面の所定期間前の第２の画面より通常再生速度よりも遅い速度で前記動画像信号を再生するよう前記再生手段を制御する制御手段とを備える構成とした。
【００１１】
【発明の実施の形態】
以下、本発明の実施形態を説明する。
【００１２】
本形態では、ビデオカメラとビデオプリンタとをケーブルなどで接続して所望の画面を印刷するシステムに対して本発明を適用した場合について説明する。
【００１３】
図１は本発明が適用されるビデオカメラ１００の構成を示す図である。
【００１４】
図１において、１０１は撮像部、１０２はマイクユニットであり、それぞれ動画像信号と音声信号を出力する。１０３は符号化処理部であり、撮影モードでは撮像部１０１からの動画像信号とマイク１０２からの音声信号とを符号化し、再生モードでは再生された画像信号と音声信号を復号する。１０４は表示制御部であり、表示パネル１０５に対して画像信号を出力する。１０５は表示パネルであり、本形態では液晶表示デバイスを用いる。
【００１５】
１０６はデータバス、１０７はＲＡＭであり、符号化処理部１０３による符号化、復号化処理などにおいて用いられる。１０７はディスクＩ／Ｆであり、ディスクＤに対して画像データと音声データを記録再生する。また、本形態ではディスクＤとして、ＤＶＤなどの光磁気ディスクを用いる。１０８は外部Ｉ／Ｆであり、本形態では接続された機器に対して画像データのほか、各種のデジタルデータを送受信する。本形態では、ＩＥＥＥ１３９４フォーマットにてデータの送受信を行い、後述の様に、ケーブルを介してビデオプリンタと接続する。
【００１６】
１０９は制御バス、１１０はＲＯＭ、１１１はＲＡＭである。ＲＯＭ１１０は制御部１１２内のマイクロコンピュータにて用いる制御プログラムなど、各種のデータを記憶している。１１１は制御部１１２の処理に用いられる。１１２は制御部であり、操作スイッチ１１３からの指示に従ってビデオカメラ１００の各部の動作を制御する。１１３は操作部であり、動画撮影の開始、停止トリガ、再生や早送り、巻き戻しキー、撮影モードと再生モードとを切り替えるためのモードスイッチなど、各種のスイッチを有する。１１４はテレビ信号処理部であり、外部のテレビモニタなどの外部機器に対して符号化処理部から出力される画像、音声信号を出力すると共に、外部のビデオカメラなどから画像、音声信号を入力する。
【００１７】
次に、図１のビデオカメラ１００を用いたプリントシステムについて説明する。
【００１８】
図２は本発明が適用されるプリントシステムの構成を示す図である。図２では、ビデオカメラ１００のテレビ信号処理部１１４とモニタＭとをケーブルＣ１で接続し、ビデオカメラ１００のデジタルＩ／Ｆ１０８とプリンタ２００のデジタルＩ／Ｆ２０１とをケーブルＣ２で接続している。
【００１９】
そして、ディスクＤから再生された動画像信号をモニタＭに出力して表示すると共に、再生された動画像信号中の一画面を静止画像信号としてプリンタ２００に出力する。
【００２０】
プリンタ２００は周知のプリント機能を持ち、ビデオカメラ１００から送られた画像信号に応じた画像をプリントする。また、プリンタ２００は、ビデオカメラ１００のデジタルＩ／Ｆ１１４と同様の機能を持つデジタルＩ／Ｆ２０１を有し、後述の様に、ダイレクトプリントキー２０３の操作に応じた制御信号をビデオカメラ１００に出力すると共に、ビデオカメラ１００から出力された画像信号を入力する。２０２は操作スイッチであり、ダイレクトプリントキー２０３の他、電源スイッチなど各種のスイッチを有する。
【００２１】
次に、図２のシステムにおいて、ディスクＤから再生された動画像信号中の所望の画面を選択し、プリントするダイレクトプリント機能の動作について説明する。
【００２２】
ダイレクトプリントを行う場合、ユーザはまず、図１の操作部１１４を操作して、ディスクＤからの動画像信号の再生を指示する。制御部１１２はこの再生指示に従ってディスクＩ／Ｆ１０７を制御し、ディスクＤに記録されている動画像信号を再生する。符号化処理部１０３は制御部１１２からの再生開始の指示に応じて、ディスクＩ／Ｆ１０７により再生された動画像信号を復号し、テレビ信号処理部１１４を介してモニタＭに出力する。
【００２３】
ユーザはこの状態でモニタＭに表示されている再生画像を見ながら、所望の画面の再生タイミングにおいてプリンタ２００のダイレクトプリントキー２０３を操作する。ダイレクトプリントキー２０３が操作されると、デジタルＩ／Ｆ２０１からダイレクトプリント要求を示すコマンドをビデオカメラ１００のデジタルＩ／Ｆ１０８に対して出力する。
【００２４】
ビデオカメラ１００のデジタルＩ／Ｆ１０９はこのダイレクトプリント要求を受けると、制御バス１１０を介して制御部１１３に出力する。制御部１１３は動画像信号の再生中にこのダイレクトプリント要求を受けると、現在の動画像信号の再生位置をＲＡＭ１１１に格納すると共に、現在の再生位置から所定期間（フレーム数）、例えば本形態では１０秒程度前の位置より、通常再生速度よりも遅い速度にて動画像信号を再生するようディスクＩ／Ｆ１０７を制御する。
【００２５】
なお、本形態では、再生された動画像信号に付加されているタイムコードを検出し、このタイムコードを再生位置情報として用いる。
【００２６】
ディスクＩ／Ｆ１０７は制御部１１２からの制御信号に応じて、現在の再生位置から所定期間前の位置より、通常再生速度よりも遅い速度にて動画像信号を再生する。符号化処理部１０３はこの様に低速で再生された動画像信号を復号し、テレビ信号処理部１１４を介してモニタＭに出力する。この結果、モニタＭには、ユーザがダイレクトプリントキー２０３を操作した時点から所定期間前の画面より、スロー再生された動画像信号が表示される。
【００２７】
この様にスロー再生された動画像を確認しながら、ユーザが再びダイレクトプリントキー２０３を操作すると、デジタルＩ／Ｆ２０１はフレーム確定コマンドを出力する。
【００２８】
ビデオカメラ１００のデジタルＩ／Ｆ１１４はこのフレーム確定コマンドを入力し、制御部１１２に出力する。制御部１１２はスロー再生中にフレーム確定コマンドを入力すると、フレーム確定コマンドが入力された時点で再生されている画面の画像信号をプリント候補の静止画像信号としてＲＡＭ１０７に記憶するようディスクＩ／Ｆ１０８を制御する。ディスクＩ／Ｆは制御部１１２からの指示に従い、指定された画面の画像信号をディスクＤから再生し、ＲＡＭ１０７に記憶する。そして、デジタルＩ／Ｆ１１０は、このＲＡＭ１０７に記憶された一画面の画像信号をプリント候補の静止画像信号としてプリンタ２００に出力する。
【００２９】
また、符号化処理部１０３は、デジタルＩ／Ｆ１１０よりプリント候補の静止画像信号の送信が完了するまで、ＲＡＭ１０７に記憶された画面の画像信号をテレビ信号処理部１１５から繰り返し出力することで、再生一時停止状態とする。
【００３０】
なお、本形態では、動画像信号をＭＰＥＧ方式に従い符号化して記録している。ＭＰＥＧ方式では、フレーム内符号化処理とフレーム間符号化処理とを組み合わせて画像信号を符号化しており、フレーム間符号化処理は参照フレームの画像信号と自身のフレームとの差分データを符号化しているため、単独では復号できない。そのため、本形態では、プリント候補として指定された画面がフレーム間符号化された画面である場合には、この画面に最も近いフレーム内符号化された画面の画像信号をプリント候補の画像信号として選択、再生している。
【００３１】
プリンタ２００では、以上の操作の結果ビデオカメラ１００から送信されたプリント候補の静止画像信号を入力し、この静止画像信号を復号した後プリントする。
【００３２】
以上の様子を図３を用いて説明する。
【００３３】
図３はダイレクトプリント処理において再生される画像の様子を示す図である。
【００３４】
３０１はディスクＤから再生される動画像の様子を示しており、矢印３０２の方向に再生される。動画像３０１の再生中に、３０３のタイミングでダイレクトプリントキー２０３が操作され、ダイレクトプリント要求を受けると、３０３に対応した位置から所定期間Ｆだけ前の位置３０４から、通常再生速度よりも遅い速度にて動画像を再生する。
【００３５】
そして、３０５〜３０９で示す様に、この期間Ｆの各フレームがスロー再生される。
【００３６】
ここで、スロー再生期間中にダイレクトプリントキー２０３が操作されずに３０３に対応した位置まで再生し終えた場合、制御部１１２は再び３０４の位置からスロー再生を繰り返すようディスクＩ／Ｆ１０８を制御する。
【００３７】
以上の様なプリンタ２００とビデオカメラ１００の動作タイミングの様子を図４２示す。
【００３８】
ビデオカメラ１００による動画像の再生中に、４０１においてプリンタ２００のダイレクトプリントキー２０３が操作されると、ダイレクトプリント要求４０２がビデオカメラ１００に対して出力される。ビデオカメラ１００ではこのダイレクトプリント要求４０２に対する応答４０３をプリンタ２００に対して出力した後、ダイレクトプリント要求があった時点から所定期間前の位置よりスロー再生４０４を開始する。その後、４０５においてダイレクトプリントキー２０３が操作されると、フレーム選択要求４０６がビデオカメラ１００に対して出力される。ビデオカメラ１００ではこのフレーム選択要求４０６を受けた時点で再生していた画面の画像信号４０８をデジタルＩ／Ｆ１１０よりプリンタ２００に送信すると共に、４０９の期間再生画面を一時停止する。そして、プリンタ２００より静止画像信号の受信完了の返答４１０を受けると処理を終了する。
【００３９】
この様に、本形態によれば、動画再生中にダイレクトプリント要求を受けると、ビデオカメラにおいて自動的に要求のあった時点から所定期間前の画面よりスロー再生を行うので、ユーザは複雑な操作をすることなく動画像の中から所望の画面を選択することが可能となる。
【００４０】
また、この場合、ダイレクトプリントキーの操作だけというきわめて簡単な操作のみで所望の画面を選択できるので、ビデオカメラの操作になれていないユーザにとっても容易にダイレクトプリント機能を活用することができる。
【００４１】
次に、本発明の第２の実施形態について説明する。
【００４２】
本形態においても、ビデオカメラの構成は図１に示した構成と同様である。また、ビデオカメラ１００を用いたプリントシステムは図５に示す構成となる。
【００４３】
図５のプリントシステムは図２のシステムとほぼ同様であるが、プリンタ２００に対し、決定キー２０４を追加している点が異なる。
【００４４】
第１の実施形態では、ダイレクトプリントキーの操作に応じて指定された位置より所定期間前の画面からスロー再生を行ったが、この様に再生された動画像を確認しながら所望の画面を選択するためには、かなり遅い速度で再生しなければならず、数秒前の画面から再生を開始したとしてもかなりの時間がかかってしまうことも考えられる。
【００４５】
そこで、本形態では、指定された位置より所定期間前の画面からスロー再生を開始する構成は同様であるが、この所定期間前の画面からのスロー再生を繰り返し行うと共に、再生速度を段階的に遅くしつつ、戻る期間を段階的に短くする構成とした。
【００４６】
本形態では、図１のＲＯＭ１１１には図６に示すテーブルが記憶されている。
【００４７】
図６において、６０１はダイレクトプリントキー２０３により指定された位置より前の画面に戻った後、スロー再生を行う際の再生速度を示しており、６０２は指定された位置より戻るべき期間（フレーム数）を示している。再生速度Ｓは、Ｓ１が最も速く、Ｓ２、Ｓ３の順に徐々に遅くなり、Ｓｍａｘが最も遅い速度となる。また、再生範囲Ｆは、Ｆ１の値が最も大きい。つまり、指定された画面から戻る期間が最も長く、Ｆ２、Ｆ３の順に徐々に短くなり、Ｆｍａｘが最も短い。
【００４８】
次に、図５のシステムによるダイレクトプリント処理について説明する。
【００４９】
ダイレクトプリントを行う場合、ユーザはまず、図１の操作部１１４を操作して、ディスクＤからの動画像信号の再生を指示する。制御部１１３はこの再生指示に従ってディスクＩ／Ｆ１０８を制御し、ディスクＤに記録されている動画像信号を再生する。符号化処理部１０３は制御部１１３からの再生開始の指示に応じて、ディスクＩ／Ｆ１０８により再生された動画像信号を復号し、テレビ信号処理部１１５を介してモニタＭに出力する。
【００５０】
ユーザはこの状態でモニタＭに表示されている再生画像を見ながら、所望の画面の再生タイミングにおいてプリンタ２００のダイレクトプリントキー２０３を操作する。ダイレクトプリントキー２０３が操作されると、デジタルＩ／Ｆ２０１からダイレクトプリント要求を示すコマンドをビデオカメラ１００のデジタルＩ／Ｆ１０９に対して出力する。
【００５１】
ダイレクトプリントキー２０３によるダイレクトプリント要求に応じた制御部１１５の制御動作を図７のフローチャートを用いて説明する。
【００５２】
ダイレクトプリント要求を受けると、まず、内部の変数ｉを０にリセットし（ステップＳ７０１）、図６に示したテーブルより、ダイレクトプリント要求のあった画面より戻るべきフレーム数Ｆｉ、ここではＦ０とその位置よりスロー再生を行う際の再生速度Ｓｉ、ここではＳ０の値を検出してＲＯＭ１１１より読み出す（ステップＳ７０２）。
【００５３】
そして、ダイレクトプリント要求のあった画面からフレーム数Ｆｉだけ前の画面より再生速度Ｓｉで再生を開始するようディスクＩ／Ｆ１０８を制御する（ステップＳ７０３）。スロー再生を開始した後、プリンタ２００のダイレクトプリントキー２０３の操作があると、プリンタ２００より再検索要求が出力され、ここでこの再検索要求があったか否かを検出する（ステップＳ７０４）。
【００５４】
再検索要求がない場合、プリンタ２０４の操作による決定要求があったか否かを判別する（ステップＳ７０５）。ここで、フレーム決定要求があった場合、このフレーム決定要求の時点での再生画面を静止画像信号としてデジタルＩ／Ｆ１０７よりプリンタ２００に送る。
【００５５】
また、ステップＳ７０４で、スロー再生中に再検索要求があった場合、ｉを１だけ増加する（ステップＳ７０７）。そして、ｉの値が図６のテーブルの最大値ｍａｘを超えたか否かを検出し、超えていない場合、ステップＳ７０２に戻り、図６のテーブルで現在のＳｉ、Ｆｉの次の値を読み出してスロー再生を繰り返す（ステップＳ７０８）。また、ｉの値がｍａｘを超えていた場合、図６のテーブルで一番下に記載された再生速度Ｓｍａｘ、再生範囲Ｆｍａｘとなるまで繰り返し再生してしまったと判断し、ステップＳ７０１に戻ってｉを０にリセットする。
【００５６】
また、ステップＳ７０５でスロー再生中にフレーム決定コマンドが入力されない場合、再生画像がダイレクトプリント要求を受けた画面となり、検索範囲の最後まで再生してしまったか否かを判別し、検索範囲が終了していない場合にはステップＳ７０４に戻る（ステップＳ７０９）。また、検索範囲が終了した場合、ステップＳ７０２に戻り、現在と同じＳｉ、Ｆｉにて処理を繰り返す。
【００５７】
プリンタ２００は、この様にダイレクトプリントキー２０３の操作後、決定キー２０４の操作に応じてビデオカメラ１００から送信された画像信号に基づき、プリント処理を行う。
【００５８】
この様に、本形態によれば、ダイレクトプリント要求があった場合、このダイレクトプリント要求があった時点での再生画面から所定期間前の画面まで戻り、スロー再生を行う場合に、スロー再生中におけるダイレクトプリントキーの操作に応じて、徐々に再生速度を遅くして繰り返しスロー再生を行うので、再生速度がユーザにより再生画面を認識可能な速度となった時点で所望の画面を決定することができ、短い時間で確実に所望の画面を選択することが可能となる。
【００５９】
また、繰り返しスロー再生を行う際に、ダイレクトプリント要求のあった時点から戻る期間を徐々に短くしているので、短い時間で所望の画面を選択することが可能となる。
【００６０】
なお、本形態では、図７のフローに示す様に、決定キーの操作があるまでスロー再生を繰り返すことになるが、例えば、ステップＳ７０８においてｉの値がｍａｘを超えてしまった場合には自動的に処理を終了することも可能であり、また、所定の回数だけｉの値がｍａｘになるまでの処理を繰り返した時点で処理を終了してもよい。また、同じ再生速度で所定回数繰り返した場合には処理を終了する構成でもよい。
【００６１】
また、第１、第２の実施形態では、プリンタ２００からのダイレクトプリント要求、フレーム決定要求に応じて処理を行ったが、ビデオカメラ１００においてこの様なダイレクトプリント要求操作、フレーム決定操作を行う構成でもよい。
【００６２】
次に、第３の実施形態について説明する。
【００６３】
図８は本発明が適用されるビデオカメラ８００の構成を示す図である。
【００６４】
図８において、８０１は撮像部、８０２はマイクユニットであり、それぞれ動画像信号と音声信号を出力する。８０３は符号化処理部であり、撮影モードでは撮像部８０１からの動画像信号とマイク８０２からの音声信号とを符号化し、再生モードでは再生された画像信号と音声信号を復号する。本形態では、符号化処理部８０３は民生用デジタルＶＴＲのフォーマットである、ＤＶフォーマットに従って符号化、復号化処理を行う。８０４は表示制御部であり、表示パネル８０５に対して画像信号を出力する。８０５は表示パネルであり、本形態では液晶表示デバイスを用いる。
【００６５】
８０６はデータバス、８０７はＲＡＭであり、符号化処理部８０３による符号化、復号化処理などにおいて用いられる。８０８は記録再生部であり、符号化された画像、音声信号を回転ヘッドを用いて磁気テープＴに対して記録再生する。８０９は外部Ｉ／Ｆであり、本形態では接続された機器に対して画像データのほか、各種のデジタルデータを送受信する。本形態では、ＩＥＥＥ１３９４フォーマットにてデータの送受信を行い、後述の様に、ケーブルを介してビデオプリンタと接続する。
【００６６】
８１０は制御バス、８１１はＲＯＭ、８１２はＲＡＭである。ＲＯＭ８１１は制御部８１３内のマイクロコンピュータにて用いる制御プログラムなど、各種のデータを記憶している。８１２は制御部１１３の処理に用いられる。８１３は制御部であり、操作部８１４からの指示に従ってビデオカメラ８００の各部の動作を制御する。８１４は操作部であり、動画撮影の開始、停止トリガ、再生や早送り、巻き戻しキー、撮影モードと再生モードとを切り替えるためのモードスイッチ、更に、後述の様にテープＴから再生された動画像から、所望の画面を選択して静止画像としてメモリカードＭに記憶するための決定キーなど、各種のスイッチを有する。８１５はテレビ信号処理部であり、外部のテレビモニタなどの外部機器に対して符号化処理部から出力される画像、音声信号を出力すると共に、外部のビデオカメラなどから画像、音声信号を入力する。
【００６７】
８１６はメモリカードＩ／Ｆであり、メモリカードＭに対し、静止画像信号を記録再生する。本形態では、メモリカードＩ／Ｆ８１６はＪＰＥＧ規格で静止画像信号を符号化、復号化する機能を持つ。
【００６８】
この様なビデオカメラ８００において、まず、動画撮影及び動画再生処理について説明する。
【００６９】
操作部８１４のモードスイッチにより撮影モードが選択され、動画記録開始の指示があると、符号化処理部８０３は撮像部８０１からの動画像信号とマイク８０２からの音声信号を夫々符号化し、バス８０６を介して記録再生部８０８に出力する。記録再生部８０８は符号化された動画像信号と音声信号を記録に適した形態に変換し、磁気テープＴに記録する。
【００７０】
また、操作部８１４のモードスイッチにより再生モードが選択され、再生開始の指示があると、制御部８１３は記録再生部８０８を制御してテープＴから動画像信号と音声信号とを再生する。符号化処理部８０３は再生された動画像信号と音声信号を復号し、復号した動画像信号を表示制御部８０４に出力し、動画像信号と音声信号をテレビ信号処理部８１５より出力する。表示制御部８０４は再生された動画像を表示パネル８０５に表示する。
【００７１】
次に、メモリカードＭに対する静止画撮影、及び静止画再生の処理について説明する。
【００７２】
操作部８１４のモードスイッチによりメモリカードＭへの静止画撮影モードが設定されると、符号化処理部８０３は撮像部８０１からの動画像信号を表示制御部８０４に出力し、表示制御部８０４は撮像部８０１からの動画像を表示パネル８０５に表示する。その後、静止画撮影のトリガ操作があると、制御部８１３はその時点で符号化処理部８０３に入力されていた一画面の画像信号をＲＡＭ８０７に記憶する。そして、メモリカードＩ／Ｆ８１６を制御し、このＲＡＭ８０７に記憶された一画面の画像信号をＪＰＥＧに従い符号化してメモリカードＭに記録する。
【００７３】
また、モードスイッチによりメモリカードＭからの再生モードが設定されると、制御部８１３はメモリカードＩ／Ｆ８１６を制御して、メモリカードＭに記録されている静止画像信号のうちの一つを選択して再生し、復号した後ＲＡＭ８０７に書き込む。そして、制御部８１３は符号化処理部８０３を制御してＲＡＭ０８７に記録された静止画像信号を読み出し、表示制御部８０４に出力する。表示制御部８０４はこの静止画像を表示パネル８０５に表示する。
【００７４】
次に、テープＴに記録されている動画像信号のうちの一画面を静止画像信号としてメモリカードＭに記録する場合の動作について説明する。
【００７５】
本形態のビデオカメラ８００は、テープＴに記録されている動画像のうちの一画面を静止画像としてメモリカードＭに記録する機能を持つ。
【００７６】
この場合、まず、ユーザは操作部８１４により動画再生モードを設定し、動画像の再生を指示する。動画再生の指示により、前述の様にテープＴから動画像信号が再生され、再生された動画像が表示パネル８０５に表示される。
【００７７】
この様な状態で、ユーザは、表示パネル８０５に表示された再生動画像を確認しながら、所望の画面が再生された時点で操作部８１４のトリガキーを操作する。このトリガキーは動画撮影モードにおいて動画記録開始、及び停止の指示のために用いるキーと同じである。
【００７８】
制御部８１３は動画像信号の再生中にトリガキーの操作入力を受けると、現在の動画像信号の再生位置をＲＡＭ８１２に格納すると共に、現在の再生位置から所定期間（フレーム数）、例えば本形態では１０秒程度前の位置より、通常再生速度よりも遅い速度にて動画像信号を再生するよう記録再生部８０８を制御する。
【００７９】
記録再生部８０８は制御部８１３からの制御信号に応じて、現在の再生位置から所定期間前の位置までテープＴを巻き戻し、通常再生速度よりも遅い速度にて動画像信号を再生する。符号化処理部８０３はこの様に低速で再生された動画像信号を復号し、表示制御部８０４に出力する。表示制御部８０４は復号された動画像を表示パネル８０５に表示する。この結果、表示パネル８０５には、ユーザがトリガキーを操作した時点から所定期間前の画面より、スロー再生された動画像信号が表示される。
【００８０】
この様にスロー再生された動画像を確認しながら、ユーザが再びトリガキーを操作すると、制御部８１３は記録再生部８０８を制御して再生動作を一時停止し、この時点で再生されている一画面の画像信号をＲＡＭ８０７に記憶する。そして、制御部８１３はメモリカードＩ／Ｆ８１６を制御し、ＲＡＭ８０７に記憶された一画面の画像信号を符号化して静止画像信号としてメモリカードＭに記憶する。
【００８１】
そして、トリガキーが操作されてからメモリカードＭに対して静止画の記憶が終了までの間、制御部１１３は、ＲＡＭ８０７に記憶された画面を一時停止の画面として表示するよう、表示制御部８０４と符号化処理部８０３を制御する。
【００８２】
メモリカードＭに対する静止画像信号の記憶が終了すると、制御部８１３は記録再生部８０８を制御して、再び動画像の再生を開始する。
【００８３】
また、スロー再生期間中にトリガキーが操作されずに、最初にトリガキーで指定した位置まで再生し終えた場合、制御部８１３は再びスロー再生を繰り返すよう記録再生部８０８を制御する。
【００８４】
この様に、本形態では、テープに記録された動画像信号の中から所望の画面を静止画像としてメモリカードに記録する際、動画像信号の再生中にトリガキーを操作すると自動的に所定期間前の画面よりスロー再生を開始するので、ユーザは簡単な操作にて動画像の中から所望の画面を選択してメモリカードに記録することができる。
【００８５】
なお、本形態では、動画再生中のトリガキー操作によって巻き戻し、スロー再生開始、及び画面の選択を指示したが、トリガキーをスチルカメラにて一般に用いられている二段スイッチの構成とし、動画再生中にトリガキーを半押しすることで巻き戻し、スロー再生に移行し、スロー再生中にトリガキーを全押しすることで画面を選択する構成としてもよい。
【００８６】
また、スロー再生中にトリガキーが操作されず、所望の画面が選択されないまま最初にトリガキーで指定した画面まで再生し終えた場合、スロー再生を繰り返していたが、所定回数この処理を繰り返した場合、自動的に再生を停止するよう構成してもよい。
【００８７】
また、前述の第１、第２の実施形態では、ビデオカメラにて再生された動画像から所望の画面を選択してプリントするシステム、第３の実施形態ではテープに記録された動画像から所望の画面を選択してメモリカードに記録する処理について本発明を適用した場合について説明したが、これ以外にも、動画像の中から所望の画面を選択する機能を実現する場合にも同様に本発明を適用可能となる。
【００８８】
【発明の効果】
以上説明した様に、本発明によれば、動画像の再生中に指示された位置より所定期間前から自動的にスロー再生を行うことができ、指示された位置の直前の動画像の様子を詳細に確認することが可能となる。
【図面の簡単な説明】
【図１】本発明が適用されるビデオカメラの構成を示す図である。
【図２】本発明が適用されるプリントシステムの構成を示す図である。
【図３】本発明の実施形態により再生される画像の様子を示す図である。
【図４】本発明のプリントシステムの動作制御の様子を示す図である。
【図５】本発明が適用されるプリントシステムの他の構成を示す図である。
【図６】再生速度と再生開始位置とを示すテーブルを示す図である。
【図７】本発明の実施形態の動作を示すフローチャートである。
【図８】本発明が適用されるビデオカメラの他の構成を示す図である。
【図１】
2004220679.tif 000003
【図２】
2004220679.tif 000004
【図３】
2004220679.tif 000005
【図４】
2004220679.tif 000006
【図５】
2004220679.tif 000007
【図６】
2004220679.tif 000008
【図７】
2004220679.tif 000009
【図８】
2004220679.tif 000010